(57)【要約】  【課題】ガス式の加熱装置を備えた道路舗装機械において、ガスを瞬時に遮断できるようにしてガス漏れ時の安全性を向上させる。  【解決手段】LPガスボンベ6と加熱装置23とを接続するガス配管22中に電磁開閉弁25を設け、LPG非常停止スイッチ14，15，16により電磁開閉弁を閉じることができるように構成する。非常停止スイッチは、運転席の計器盤やスクリード装置の左右両端など、作業時において迅速に操作できる場所に配置する。【選択図】図5
2007217990.tif 000002
【特許請求の範囲】
【請求項１】
スクリード装置と、スクリード装置のスクリードプレートを熱するガス式加熱装置を備えた道路舗装機械において、ガスボンベと加熱装置を接続するガス配管中に電磁開閉弁を設けるとともに、前記電磁開閉弁を閉じる非常停止スイッチを設け、非常停止スイッチを操作することにより、電磁開閉弁を閉じて加熱装置へのガス供給を遮断できるように構成した道路舗装機械の安全装置。
【請求項２】
上記非常停止スイッチを運転席の計器盤に配置した請求項１記載の道路舗装機械の安全装置。
【請求項３】
上記非常停止スイッチをスクリード装置の左右両端に配置した請求項１記載の道路舗装機械の安全装置。
【発明の詳細な説明】
【技術分野】
【０００１】
この発明は、道路舗装機械の安全装置に関するものであり、特に、加熱用ガスの供給を瞬時に遮断できるようにした道路舗装機械の安全装置に関するものである。
【背景技術】
【０００２】
アスファルトフィニッシャ等の道路舗装機械は、加熱されたアスファルト混合材を敷き均すスクリードプレートにアスファルト混合材が付着するのを防止するため、スクリードプレートをアスファルト混合材と同温度（150〜200℃程度）に加熱する加熱装置が備えられている（例えば、特許文献１）。
【０００３】
加熱装置の熱源としてはLPガスや軽油を用いるものが多く、LPガスを用いる道路舗装機械においては、ガスボンベ収容部へ装着したLPガスボンベから加熱装置へLPガスを供給し、加熱装置でLPガスを燃焼させ、その熱風をスクリ−ド装置内に流すことでスクリ−ド装置に取付けられているスクリードプレートを均一に加熱する。舗装作業の終了時やLPガスボンベの交換時には、LPガスボンベに備えられている開閉バルブを操作してガス出口を閉じ、ガスが漏出しないようにしている。
【特許文献１】実開平7-31910号公報
【発明の開示】
【発明が解決しようとする課題】
【０００４】
道路舗装機械の稼動時において、バーナーの火が立ち消えたりしてガスが漏れた場合は、引火の虞があるためガスを至急遮断する必要がある。若し、このようなガス漏れが起きた場合、従来はLPガスボンベの収容部へ移動し、LPガスボンベに備えられている開閉バルブを手で回転してガス出口を閉じなければならず、ガス供給を停止するまでに時間がかかり、迅速性に欠けるという問題がある。
【０００５】
そこで、本発明は、ガス供給を緊急に停止する必要が生じたときに、迅速にガスを遮断できるようにして安全性を向上することを目的とするものである。
【課題を解決するための手段】
【０００６】
この発明は、上記目的を達成するために提案するものであり、スクリード装置と、スクリード装置のスクリードプレートを熱するガス式加熱装置を備えた道路舗装機械において、ガスボンベと加熱装置を接続するガス配管中に電磁開閉弁を設けるとともに、前記電磁開閉弁を閉じる非常停止スイッチを設け、非常停止スイッチを操作することにより、電磁開閉弁を閉じて加熱装置へのガス供給を遮断できるように構成した道路舗装機械の安全装置を提供するものである。
【０００７】
また、上記非常停止スイッチを運転席の計器盤に配置した道路舗装機械の安全装置を提供するものである。
【０００８】
また、上記非常停止スイッチをスクリード装置の左右両端に配置した道路舗装機械の安全装置を提供するものである。
【発明の効果】
【０００９】
本発明の道路舗装機械の安全装置は、非常停止スイッチを操作することにより、ガス配管に設けた電磁開閉弁が閉じて、加熱装置へのガス供給を遮断するので、従来の手動式開閉弁を操作して管路を閉じる構成よりも著しく迅速にガス供給を遮断でき、ガス漏れなどが生じた場合の引火や爆発などの危険回避に効果を奏する。
【発明を実施するための最良の形態】
【００１０】
この発明は、スクリード装置と、スクリード装置のスクリードプレートを熱するガス式加熱装置を備えた道路舗装機械において、ガスボンベと加熱装置を接続するガス配管中に電磁開閉弁を設けるとともに、前記電磁開閉弁を閉じる非常停止スイッチを設け、非常停止スイッチを操作することにより、電磁開閉弁を閉じて加熱装置へのガス供給を遮断できるように構成することにより、ガス供給を緊急に停止する必要が生じたときに、迅速にガスを遮断できるようにして安全性を向上するという目的を達成した。
【実施例１】
【００１１】
図１及び図２はアスファルトフィニッシャ1を示し、車体2の前部にホッパー3が設けられていて、車体2の後部に左右伸縮式のスクリード装置4が連結されている。前部のホッパー3に投入されたアスファルト合材は、車体内の下部に備えられているバーコンベヤ（図示せず）によりコンベヤ台板上を後方へ搬送されてスクリード装置4の前方の路面へ撒布され、アスファルトフィニッシャ1の前進に伴いスクリード装置4によって均等な厚さに敷き均される。
【００１２】
車体2上の後部には進行方向へ向かって右側に運転席5が設けられており、運転席とは反対の左端側にLPガスボンベ6が装着されている。LPガスボンベ6の継ぎ手には車体2に供えられているガス配管（図示せず）が接続され、LPガスボンベ6からスクリード装置4内の加熱装置（ガスバーナー）へLPガスが供給される。スクリード装置4の左右両端には門型のパイプフレーム7が設けられていて、図２に示すように、左右のパイプフレーム7上に夫々スクリードスイッチボックス8，9が取付けられている。
【００１３】
図３に示すように、スクリードスイッチボックス8，9の上面には、レベリング調整スイッチ10、スクリュースイッチ11、スクリード伸縮スイッチ12などが配置されており、上側側面に設けられているコネクタ13に信号ケーブル（図示せず）が接続され、スクリードの幅方向への伸縮調整や水平度の調整などはスクリードスイッチボックス8，9を介して行われる。また、スクリードスイッチボックス8，9の下側側面には、本発明の安全装置の構成要素であるLPG非常停止スイッチ14，15が設けられており、図４に示すように運転席5の直前の計器盤5aにもLPG非常停止スイッチ16が設けられている。
【００１４】
図５はアスファルトフィニッシャ1のガス配管の回路図であり、21はLPガスボンベ6に備えられている手動操作式開閉弁、22はアスファルトフィニッシャ1のガス配管、23は加熱装置、24は加熱装置23の上流に設けられている手動操作式開閉弁であり、これらは従来の構成と同一であるが、本発明ではガス配管22中に電磁開閉弁25を設け、この電磁開閉弁25をLPG非常停止スイッチ14，15，16で操作するように構成している。
【００１５】
アスファルトフィニッシャ1の電源がオンの場合、図５のように電磁開閉弁25は開いていて、加熱装置23へガス供給が可能であり、ガス配管22の手動操作式開閉弁24を開くことにより加熱装置23へLPガスが供給されて加熱装置23を使用することができる。
【００１６】
若し、舗装作業中に加熱装置23にガス漏れなどが起こった場合、操作者がスクリード装置4の近くにいる場合は、最寄りのスクリードスイッチボックス8または9のLPG非常停止スイッチ14または15を押し、運転席5にいる場合は、操作盤5aのLPG非常停止スイッチ16を押せば、電磁開閉弁25の駆動電流が遮断されて電磁開閉弁25が閉じ、加熱装置23へのガス供給が瞬時に遮断され、手動操作式開閉弁24を閉じる場合よりも著しく迅速にガス供給を停止することができる。
【００１７】
尚、図５は、三つのLPG非常停止スイッチ14，15，16を直列接続した例を示したが、これは一例であり、三つのLPG非常停止スイッチ14，15，16のそれぞれを電磁弁コントローラ（図示せず）へ個別に接続し、電磁弁コントローラが三つのLPG非常停止スイッチ14，15，16のいずれかのオフ状態に応じて電磁開閉弁25を閉じるように構成してもよく、上記の実施形態に限定するものではない。また、この発明はこの発明の技術的範囲内において種々の改変が可能であり、この発明がそれらの改変されたものに及ぶことは当然である。
【図面の簡単な説明】
【００１８】
【図１】アスファルトフィニッシャを示し、(a)は側面図、(b)は背面図である。
【図２】アスファルトフィニッシャの背面側の斜視図。
【図３】(L)(R)は夫々スクリードスイッチボックスの正面図。
【図４】アスファルトフィニッシャの運転席部分の平面図。
【図５】安全装置の回路図。
【符号の説明】
【００１９】
1      アスファルトフィニッシャ
2      車体
3      ホッパー
4      スクリード装置
5      運転席
5a     計器盤
6      LPガスボンベ
7      パイプフレーム
8      スクリードスイッチボックス
9      スクリードスイッチボックス
14     LPG非常停止スイッチ
15     LPG非常停止スイッチ
16     LPG非常停止スイッチ
21     手動操作式開閉弁
22     ガス配管
23     加熱装置
24     手動操作式開閉弁
25     電磁開閉弁
【図１】
2007217990.tif 000003
【図２】
2007217990.tif 000004
【図３】
2007217990.tif 000005
【図４】
2007217990.tif 000006
【図５】
2007217990.tif 000007